(57)【要約】      （修正有）【課題】発光禁止区域であることに気付かない場合、不用意にカメラの発光機能を使用してしまう可能性がある。禁止されている特定動作を強制的に禁止可能なカメラを提供する。【解決手段】本カメラは、外部機器より送信される、特定動作を禁止する信号を受信する受信部（１０８）を備え、該信号に従い、前記特定動作を禁止することを特徴とする。また、被写体を照明する照明部（１０７）を備え、前記特定動作は、前記照明部（１０７）の照明動作である。【選択図】図２
2012234086.tif 000002
【特許請求の範囲】
【請求項１】
外部機器より送信される、特定動作を禁止する信号を受信する受信部を備え、
該信号に従い、前記特定動作を禁止することを特徴とするカメラ。
【請求項２】
請求項１に記載のカメラであって、
被写体像を撮像する撮像部を備え、
前記特定動作は、前記撮像部の撮像動作であること、
を特徴とするカメラ。
【請求項３】
請求項１に記載のカメラであって、
被写体を照明する照明部を備え、
前記特定動作は、前記照明部の照明動作であること、
を特徴とするカメラ。
【請求項４】
請求項１〜３のいずれか１項に記載のカメラに対して前記特定動作を禁止する信号を送信する送信装置。
【請求項５】
請求項１〜４のいずれか１項に記載のカメラと、
前記カメラに対して前記特定信号を送信する送信装置と、を備え、
前記カメラが前記送信装置の特定信号を受信可能なエリア内に入ると、前記カメラが前記特定動作を禁止するカメラシステム
【請求項６】
カメラに対して着脱可能であって、
外部機器より送信される、特定動作を禁止する信号を受信する受信部を備え、
該受信した信号に従い、前記カメラの前記特定動作を禁止させることを特徴とする受信部。
【発明の詳細な説明】
【技術分野】
【０００１】
本発明は、カメラに関するものである。
【背景技術】
【０００２】
美術館や動物園など発光禁止区域内において、発光停止操作が複雑なために、発光停止操作ができず、不用意に発光機能を使用する場合がある。このため、従来、カメラ本体側面に発光を停止するボタンを設け、操作を容易にしているものがある（例えば、特許文献１参照）。
【先行技術文献】
【特許文献】
【０００３】
【特許文献１】特開５−１７６３６号公報
【発明の概要】
【発明が解決しようとする課題】
【０００４】
しかし、発光禁止区域であることに気付かない場合、不用意にカメラの発光機能を使用してしまう可能性がある。
【０００５】
本発明の課題は、禁止されている特定動作を強制的に禁止可能なカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、外部機器（２００）より送信される、特定動作を禁止する信号を受信する受信部（１０８）を備え、該信号に従い、前記特定動作を禁止することを特徴とするカメラ（１００）である。
請求項２に記載の発明は、請求項１に記載のカメラ（１００）であって、被写体像を撮像する撮像部（１０４）を備え、前記特定動作は、前記撮像部（１０４）の撮像動作であること、を特徴とするカメラ（１００）である。
請求項３に記載の発明は、請求項１に記載のカメラ（１００）であって、被写体を照明する照明部（１０７）を備え、前記特定動作は、前記照明部（１０７）の照明動作であること、を特徴とするカメラ（１００）である。
請求項４に記載の発明は、請求項１〜３のいずれか１項に記載のカメラ（１００）に対して前記特定動作を禁止する信号を送信する送信装置（２００）である。
請求項５に記載の発明は、請求項１〜４のいずれか１項に記載のカメラ（１００）と、前記カメラ（１００）に対して前記特定信号を送信する送信装置（２００）と、を備え、前記カメラ（１００）が前記送信装置（２００）の特定信号を受信可能なエリア内に入ると、前記カメラ（１００）が前記特定動作を禁止するカメラ（１００）システムである。
請求項６に記載の発明は、カメラ（１００）に対して着脱可能であって、外部機器（２００）より送信される、特定動作を禁止する信号を受信する受信部（１０８）を備え、該受信した信号に従い、前記カメラ（１００）の前記特定動作を禁止させることを特徴とする受信部（１０８）である。
なお、符号を付して説明した構成は、適宜改良してもよく、また、少なくとも一部を他の構成物に代替してもよい。
【発明の効果】
【０００８】
本発明によれば、禁止されている特定動作を強制的に禁止可能なカメラを提供することができる。
【図面の簡単な説明】
【０００９】
【図１】本発明の一実施形態である撮影システムの概念図である。
【図２】撮影システムにおけるカメラのブロック構成図である。
【図３】制御装置による発光禁止制御のフローチャートである。
【発明を実施するための形態】
【００１０】
以下、図面等を参照して、本発明の実施形態について説明する。
図１は、本発明の一実施形態である撮影システム１の概念図である。図２は、撮影システム１におけるカメラ１００のブロック構成図である。
【００１１】
図１に示す本実施形態における撮影システム１は、送信装置２００と、撮影装置（本実施形態ではカメラ１００）と、によって構成されている。撮影システム１は、たとえば、動物園等の発光禁止エリア２における撮影に際して、撮影装置（カメラ１００）が備える照明装置１０７の発光を強制的に規制するものである。
なお、発光禁止エリア２は、動物園に限らず、美術館，博物館，劇場およびコンサートホール、発光しても意味が無く却って競技の障害となるスポーツ施設等、撮影時の発光を禁じる全ての場所または領域に適用し得るものである。
また、撮影装置は、カメラまたは携帯電話のみに限らず、照明装置と撮影機能とを備えた全ての機器を対象とする。
【００１２】
送信装置２００は、所定の発光禁止信号を乗せた電波を発信する発信器である。送信装置２００の出力は、発光禁止エリア２内に位置する撮像装置のみに対して作用し、発光禁止エリア２外には達しない（達しても作用しない）よう極微弱なレベルに設定される。また、発光禁止信号を乗せた電波は、携帯電話の受信機能をそのまま利用可能で且つ携帯電話の通信を妨げないように設定する。
【００１３】
カメラ１００は、被写体像を電気信号に変換した画像データとして出力するデジタルスチルカメラである。
図２に示すように、カメラ１００は、撮像レンズ１０１、測光部１０２、シャッター１０３、撮像部１０４、露出制御部１０５、レンズ制御部１０６，照明装置１０７、受信部１０８、操作部１０９、表示部１１０、記録媒体１１１、外部インターフェイス１１２、制御装置１２０等を備えている。
【００１４】
撮像レンズ１０１は、合焦レンズおよびズーミングレンズ等を含む複数の光学レンズ群（図１においては１枚のレンズＬで示す）から成る結像光学系と、絞りＤを備えている。
測光部１０２は、撮像レンズ１０１から後述する撮像部１０４に向かう被写体像光の一部を受光して測光し、その測光結果を露出情報として制御装置１２０に入力する。
【００１５】
シャッター１０３は、撮像レンズ１０１から後述する撮像部１０４に向かう被写体像光を遮蔽および通過させることによって露光時間を調整する。
撮像部１０４は、ＣＣＤやＣＭＯＳ等の光電変換素子である撮像素子を備え、撮像素子の結像面に結像された像を電気信号（画像信号）に変換し、その画像信号に対して、アナログ信号処理、Ａ／Ｄ変換、補間，階調変換や輪郭強調などの画像処理を行う。
【００１６】
露出制御部１０５は、測光部１０２の測光情報に基づいて露出値を決定すると共に、この露出値と使用者によって設定された露出モードとに基づいて露出を決定する。そして、露出制御部１０５は、シャッター１０３を駆動制御すると共に後述するレンズ制御部１０６を介して撮像レンズ１０１（絞り）を駆動制御する。また、露出制御部１０５は、必要に応じて照明装置１０７を発光制御する。露出モードには、予め定められたテーブルに従って自動的に露出を決定する自動モードと，特定の露出要素を使用者の設定に任せるシャッター優先および絞り優先等の手動モードとがある。自動モードでは、照明装置１０７の発光のＯＮ（発光モード）／ＯＦＦ（発光禁止モード）を設定できるようになっている。手動モードでは、照明装置１０７の発光を任意に設定できるようになっている。
【００１７】
レンズ制御部１０６は、露出制御部１０５によって決定された絞り値に、撮像レンズ１０１（絞り）を制御する。また、レンズ制御部１０６は、図示しないが、ＡＦ制御部からの指令によって撮像レンズ１０１の合焦レンズの駆動制御を行うと共に、ズーム制御部からの指令によって撮像レンズ１０１のズーミングレンズの駆動制御を行う。
【００１８】
照明装置１０７は、発光部１０７Ａと、発光駆動回路１０７Ｂと、により構成されている。
発光部１０７Ａは、キセノン管、反射板およびフレネルレンズ等を備え、発光駆動回路１０７Ｂから加えられる高電圧によってキセノン管から放電による閃光を発する。
駆動回路１０７Ｂは、昇圧回路、メインコンデンサおよびスイッチング素子等により構成され、露出制御装置１０５からの指令に基づくスイッチング素子の作用によって発光部１０７Ａに高圧の直流電圧を印加する。
【００１９】
受信部１０８は、送信装置２００が発信した電波を受信する受信装置であって、送信装置２００が発信した電波を受信すると、発光禁止情報を制御装置１２０に入力する。
操作部１０９は、撮影者が撮影タイミング等を決定する信号を入力するレリーズボタンや、モード切り換え用の選択ボタン等を備えている。そして、操作部１５は、それらの操作情報を制御装置２０に入力する。
【００２０】
表示部１１０は、ＬＣＤ等によって構成され、カメラ１００における各種設定メニュー、撮像部１３による撮像画像や記録媒体１８に格納された画像データに基づく再生画像を表示する。
記録媒体１１１は、着脱可能なメモリカード（カード状のリムーバブルメモリ）であって、撮影画像データを記録する。
外部インターフェイス１１２は、ＵＳＢ端子等のコネクタを備えている。外部インターフェイス１９は、ＵＳＢメモリやＰＣ（パーソナルコンピュータ）等と接続され、画像情報の取り出しや、外部から制御装置１２０への制御情報の入力に用いられる。
【００２１】
制御装置１２０は、ＣＰＵ等を備えて構成され、カメラ１００における各機能部を統括制御する。すなわち、制御装置１２０は、露出制御部１０５を介した露出制御、レンズ制御部１０６を介したＡＦ動作およびズーミング動作制御を行う。また、制御装置１２０は、撮像部１０４で撮像された画像データを表示部１１０に表示すると共に記録媒体１１１に記録する。さらに、制御装置１２０は、記録媒体１８に記憶された画像データを呼び出して、表示部１１０に表示する。
【００２２】
ここで、制御装置１２０は、受信部１０８から発光禁止情報が入力され（受信部１０８が送信装置２００からの電波を受信）している状態では、露出制御部１０５を介して照明装置１０７の発光を禁止する。
つぎに、この制御装置１２０による発光禁止制御を、図３に示すフローチャートに沿って説明する。なお、以下の説明における各機能部の符号については図１および図２を参照のこと。また、図３および以下の説明中、ステップを「Ｓ」とも略記する。
【００２３】
撮影時において、レリーズスイッチが操作されると（Ｓ３０１→Ｙｅｓ）、受信部１０８が送信装置２００からの発光禁止信号を受信しているか否かを判断する（Ｓ３０２）。
ステップ３０２において、受信部１０８が発光禁止信号を受信していると判断された場合（Ｙｅｓ）には、表示部１１０に発光規制領域である旨と、露出情報と、を表示する（Ｓ３０３）。そして、照明装置１０７の発光を規制して（発光禁止モードで）撮影を行い（Ｓ３０４）、画像データを記録する（Ｓ３０６）。
一方、ステップ３０２において、受信部１０８が送信装置２００からの電波を受信していないと判断された場合（Ｙｅｓ）には、必要に応じて照明装置１０７を発光させる通常撮影を行い（Ｓ３０５）、画像データを記録する（Ｓ３０６）。
【００２４】
すなわち、露出制御部１０５は、制御装置１２０に受信部１０８から発光禁止情報が入力されている場合には、露出が自動モードであって発光モードに設定されていても、発光禁止モードで露出制御を行う。また、露出が手動モードであって発光するように設定されていても、発光しない露出制御を行うものである。なお、この制御は、外付けの照明装置を装着している場合でも同様とする。
【００２５】
上記のように構成された撮影システム１では、図１に示すように、動物園において、神経質な動物３が屋内等に展示され、撮影は許容されてはいるが照明装置の使用（発光撮影）は禁じられているような場合、当該動物３の周辺に送信装置２００を配置して、発光禁止エリア２をその電波の受信可能域に設定することで、カメラ１００が発光モードのままであっても自動的に発光が規制される。
【００２６】
これにより、撮影者にとっては、場所に応じてその都度露出モードを発光禁止モードに変更する手間が省ける。また、不用意な発光で動物３にストレスを与えることを防ぐことができる。なお、図１中符号３００は、送信装置２００の電波が到達しない発光禁止エリア２の外に位置する撮影装置（カメラ，携帯電話）であって、これらは発光禁止モードとはならない。また、発光禁止エリア２内であっても、携帯電話の通信が阻害されることはない。
【００２７】
以上、本実施形態によると、以下の効果を有する。
（１）発光禁止エリア２に送信装置２００を配置して、発光禁止エリア２をその電波の受信可能域に設定しておくことにより、撮影装置（カメラ１００）の設定が照明装置を使用（発光撮影）する状態であっても、設定の変更を要することなく自動的に発光が規制される。このため、発光禁止エリア２において設定を変更する面倒が無く、また、設定の変更を忘れて不用意に発光させてしまうといった不具合を防ぐことができる。
（２）送信装置２００の出力と配置とを適宜設定することによって、たとえば同一建物内であっても発光可能エリアと発光禁止エリアとを必要に応じてきめ細かく規定することができる。
【００２８】
（変形形態）
以上、説明した実施形態に限定されることなく、以下に示すような種々の変形や変更が可能であり、それらも本発明の範囲内である。
（１）本実施形態は、本発明を撮像装置（カメラ１００）が備える照明装置における発光に適用したものであるが、本発明はこれに限らず、他の機能にも適用可能なものである。
【００２９】
たとえば、撮影禁止エリアにおける撮影機能に適用してもよい。つまり、撮影禁止エリアでは、撮影そのものを不能とするものである。その場合、撮影禁止の理由によって、表示部１１０への撮像部１３によるリアルタイムの撮像画像（いわゆるスルー画像）の表示も行えない設定、または、表示部１１０へのスルー画像の表示は可能とするがレリーズしても記録媒体１１１への記録は行えない設定、のいずれの設定も可能である。また、送信装置２００の規制信号によって、これらのいずれかを設定できるように構成してもよい。
さらに、撮影によって肖像権等の権利問題が発生し得るようなケース（コンサートにおけるアイドルのアップ等）では、レンズの焦点距離（所定以上の望遠を不可とする）によって撮影の可否を設定するように構成してもよい。
【００３０】
（２）また、本実施形態では、撮影装置（カメラ１００）が、送信装置２００からの電波（発光規制信号）を受信する受信部１０８を備えている。しかし、これに限らず、別体の受信装置をカメラ１００の外部インターフェイス１１２に装着・接続するように構成してもよい。これにより、受信部１０８を備えない既存の撮影装置にも本構成の適用が可能となる。
なお、実施形態および変形形態は、適宜組み合わせて用いることもできるが、詳細な説明は省略する。また、本発明は以上説明した実施形態によって限定されることはない。
【符号の説明】
【００３１】
１：撮影システム、２：発光禁止エリア、１００：カメラ、１０４：撮像部、１０５：露出制御部、１０７：照明装置、１０８：受信部、１２０：制御装置、２００：送信装置
【図１】
2012234086.tif 000003
【図２】
2012234086.tif 000004
【図３】
2012234086.tif 000005